(57)【要約】【課題】軸状製品で多様な歯ブラシ形態の場合でもコップなどを用意して保管する必要が無く、軸状製品を包装していたブリスター容器を開封後も利用して衛生的でかつ通気性に優れた保管ができるブリスター容器を提供する。【解決手段】歯ブラシ１２を収容するブリスター容器において、歯ブラシ１２の先端部を膨出部１４の先端部１４ａ内に収容した状態で、該膨出部１４の先端部１４ａ周辺の平坦部１８に接着した蓋材２０の先方部分２０ａと中央部分２０ｂ，後方部分２０ｃとの境界にミシン目２２ａ，２２ｂを形成し、前記蓋材２０の少なくとも先方部分２０ａを残してミシン目２２ａまでブリスター部１６から剥がして、前記蓋材２０の先方部分と膨出部１４の先端部との間に歯ブラシ１２の先端部を差し込んで覆いかつ膨出部１４の後端部で前記歯ブラシ１２の後端部を係止して抜け止めたものである。【選択図】図１
2010018284.tif 000002
【特許請求の範囲】
【請求項１】
柄の先端部に使用部を設けた軸状製品を膨出部に収容する透明樹脂からなるブリスター部と、前記膨出部をその開口側から覆うようにして前記ブリスター部の平坦部に接着可能な蓋材とからなり軸状製品を収容するブリスター容器において、
前記軸状製品の先端部を膨出部の先端部内に収容した状態で、該膨出部の先端部周辺の平坦部に接着した蓋材の先方部分とその他の部分との境界にミシン目または折り線を形成し、
前記蓋材の少なくとも先方部分を残してミシン目または折り線までブリスター部から剥がして、前記蓋材の先方部分と膨出部の先端部との間に軸状製品の先端部を差し込んで覆いかつ膨出部の後端部で前記軸状製品の後端部を係止して抜け止めたことを特徴とするブリスター容器。
【請求項２】
前記蓋材の先方部分および中央部分間と中央部分および後方部分間にミシン目を形成し、前記蓋材をブリスター部に接着した状態で当該中央部分を該ミシン目から切り取れるようにしたことを特徴とする請求項１に記載のブリスター容器。
【請求項３】
前記蓋材の先方部分または後方部分には、ミシン目から該蓋材の長手方向に沿うミシン目或いはスリットを切り込んだことを特徴とする請求項２に記載のブリスター容器。
【請求項４】
蓋材をその先方部分を残して折り線までブリスター部から剥がし、剥がした蓋材を折り線から先方に向けて折り返して膨出部を開け、かつその折り返した蓋材を前記残した先方部分に固定する固定部を設けたことを特徴とする請求項１に記載のブリスター容器。
【発明の詳細な説明】
【技術分野】
【０００１】
本発明は、歯ブラシ等の軸状製品を収納する膨出部を設けた透明樹脂からなるブリスター部と、前記膨出部を覆うようにして前記ブリスター部を接着可能な蓋材とからなるブリスター容器に関する。
【背景技術】
【０００２】
従来、軸状製品例えば歯ブラシの容器は、店頭で歯ブラシの特徴が消費者から理解しやすいように、また、陳列効果を高めるためブリスター容器が多く使用されている。具体的には店頭の陳列棚にフックによってブリスター容器収納の歯ブラシ製品が吊下げ状態で陳列されて、販売に供されている。
【０００３】
一方、歯ブラシの形態も多様化し、一般的な洗面台の収納部に保管が困難な場合がある。このような場合にはコップ等手近の容器を利用して保管していた。
【０００４】
しかしながら、このようにコップ等容器に歯ブラシを保管する場合、歯ブラシのブラシ部が外気に曝される状態になり、空気中のほこりがブラシ部に付着する等して不衛生になる虞が合った。
【０００５】
ここで、現行のブリスター容器からなる歯ブラシ容器について説明する。
【０００６】
図３（ａ）は従来の歯ブラシ容器を台紙ａ側から見た図、（ｂ）は同側面図、（ｃ）は同ブリスターｄ側から見た図である。
【０００７】
図３に示すように、従来のブリスター容器は、台紙ａに透明樹脂製のブリスターｄを貼付け固定したものである。ブリスターｄには、歯ブラシｂの形状に合わせた膨出部（ブリスタードーム）ｃを平坦部ｄ１から突出した状態に形成し、その膨出部ｃに歯ブラシｂを収容し、その状態でブリスターｄの開口側を塞ぐように平坦部ｄ１に台紙を貼付けたものである。歯ブラシｂを取り出す際には、台紙ａをブリスターｄの平坦部ｄ１から剥がして歯ブラシｂを露出させる。通常、台紙ａと前記ブリスターｄは角部を未接着として、剥がす際に指が掛りやすくしている。
【０００８】
通常、このブリスター容器からなる歯ブラシ容器では、台紙を引きはがして歯ブラシを取り外したあとでは、容器を廃棄していた。
【０００９】
上記のように歯ブラシ容器から歯ブラシを取り出した後で歯ブラシを該容器に再び収容できるようにしたブリスター容器が下記のように種々提案されていた。
【００１０】
台紙に貼付けたブリスターを上下に上部ブリスター体および下部ブリスター体に分割できるものとし、歯ブラシ使用時にはその下部ブリスター体を剥脱して取り出し、歯ブラシ使用後に上部ブリスター体と台紙とで歯ブラシのブラシ部周辺を挟持して収容して保管できるようにした歯ブラシの包装器が提案されている（実公昭４２−２１９２６号：特許文献１参照）。
【００１１】
また、ブリスター上部に切り込みを入れて、そのブリスター上端の摘みを引っ張ることにより、切り込みから上の部分が台紙から剥がれて開口するようにした商品取り出し装置が提案されている（実開昭４７−２０６８５号公報：特許文献２参照）。
【００１２】
また、台紙上に成形されたプラスチックシートがヒートシールされた成形部は上半分と下半分で区分され水平方向の折り曲げ刻線で上半分が開封されるものであり、上半分が開封され物品が取り出しやすく再収容も可能な包装体が開示されている（実開昭５５−３３２６５号公報：特許文献３参照）。
【００１３】
また、ブリスター容器に切り込み線を入れたり（実開昭５７−１０１７７３号公報：特許文献４参照）、ミシン目を設けたり（実開昭５９−８３７７５号公報：特許文献５参照）、頂面および側面に一部に繋ぎ部を介して繋がる切り込み線を設けたり（実開昭５９−８３７７６号公報：特許文献６参照）して、指で容易に開封できるようにしたブリスター容器の開口部の構造が提案されている。
【００１４】
また、台紙に貼り付けがブリスター外装体に対向する長辺から長辺にミシン目等の切り離し部と台紙を開口するミシン目を設けたブリスター容器が提案されている（実開平０５−５１７６６号公報：特許文献７参照）。
【００１５】
なお、樹脂製トレーとトレーの開口部を台紙で覆い、その台紙の裏面シートに開口部を閉塞する蓋片に切れ目を入れて弁状の差込片を形成し、表面シートに形成した止め付け部をスリット状に形成して前記差込片を止め付け部に差し込むようにした容器がある（実用新案登録第３０７２３５１号公報：特許文献８参照）。
【特許文献１】実公昭４２−２１９２６号公報
【特許文献２】実開昭４７−２０６８５号公報
【特許文献３】実開昭５５−３３２６５号公報
【特許文献４】実開昭５７−１０１７７３号公報
【特許文献５】実開昭５９−８３７７５号公報
【特許文献６】実開昭５９−８３７７６号公報
【特許文献７】実開平０５−５１７６６号公報
【特許文献８】実用新案登録第３０７２３５１号公報
【発明の開示】
【発明が解決しようとする課題】
【００１６】
しかしながら、前述の如く従来技術におけるブリスター容器に使用後の歯ブラシを収容する構造では、特許文献１の技術では歯ブラシのブラシ部を引っかけているに過ぎず、外れ易い問題がある。また、特許文献２〜８の技術では、歯ブラシの柄の方を差し込んだとしてもブラシ部が露出することになりほこりが付くのを防ぐことはできない。
【００１７】
本発明は、斯かる実情に鑑み、軸状製品で多様な歯ブラシ形態の場合でもコップなどを用意して保管する必要が無く、軸状製品を包装していたブリスター容器を開封後も利用して衛生的でかつ通気性に優れた保管ができるブリスター容器を提供しようとするものである。
【課題を解決するための手段】
【００１８】
本発明はブリスター容器に係るものである。
【００１９】
本発明は、柄の先端部に使用部を設けた軸状製品を膨出部に収容する透明樹脂からなるブリスター部と、前記膨出部をその開口側から覆うようにして前記ブリスター部の平坦部に接着可能な蓋材とからなり軸状製品を収容するブリスター容器において、
前記軸状製品の先端部を膨出部の先端部内に収容した状態で、該膨出部の先端部周辺の平坦部に接着した蓋材の先方部分とその他の部分との境界にミシン目または折り線を形成し、
前記蓋材の少なくとも先方部分を残してミシン目または折り線までブリスター部から剥がして、前記蓋材の先方部分と膨出部の先端部との間に軸状製品の先端部を差し込んで覆いかつ膨出部の後端部で前記軸状製品の後端部を係止して抜け止めたことを特徴とするブリスター容器である。
【００２０】
本発明において、前記蓋材の先方部分および中央部分間と中央部分および後方部分間にミシン目を形成し、前記蓋材をブリスター部に接着した状態で当該中央部分を該ミシン目から切り取れるようにしたことが好適である。
【００２１】
本発明において、前記蓋材の先方部分または後方部分には、ミシン目から該蓋材の長手方向に沿うミシン目或いはスリットを切り込んだことが好適である。
【００２２】
本発明において、蓋材をその先方部分を残して折り線までブリスター部から剥がし、剥がした蓋材を折り線から先方に向けて折り返して膨出部を開け、かつその折り返した蓋材を前記残した先方部分に固定する固定部を設けたことが好適である。
【発明の効果】
【００２３】
本発明の請求項１〜４記載のブリスター容器によれば、軸状製品の先端部を膨出部の先端部内に収容した状態で、該膨出部の先端部周辺の平坦部に接着した蓋材の先方部分とその他の部分との境界にミシン目または折り線を形成し、前記蓋材の少なくとも先方部分を残してミシン目または折り線までブリスター部から剥がして、前記蓋材の先方部分と膨出部の先端部との間に軸状製品の先端部を差し込んで覆いかつ膨出部の後端部で前記軸状製品の後端部を係止して抜け止めたので、ブリスター容器内に歯ブラシ等の軸状製品を抜け止めてかつ蓋材で軸状製品の使用部（例えばブラシ）のある先端部を覆うので、ほこり等で汚れることがなくなり衛生的、かつ利便性が高いという優れた効果を奏し得る。
【００２４】
なお、前記蓋材の先方部分および中央部分間と中央部分および後方部分間にミシン目を形成し、前記蓋材をブリスター部に接着した状態で当該中央部分を該ミシン目から切り取れるようにすれば、蓋材の中央部分を取り去った後に、蓋材の先方部分とともに後方部分で軸状製品後端部を覆えるため後端部の係止が確実でかつより衛生的に保管できる。
【００２５】
また、前記蓋材の先方部分または後方部分には、ミシン目から該蓋材の長手方向に沿うミシン目或いはスリットを切り込めば、軸状製品をそのミシン目或いはスリットを開いて容易に収納したり取り出したりすることができ、極めて便利である。もちろん、蓋材の先方部分のみを形成した場合にそこにミシン目或いはスリットを形成するようにしてもよい。
【００２６】
また、蓋材をその先方部分を残して折り線までブリスター部から剥がし、剥がした蓋材を折り線から先方に向けて折り返して膨出部を開け、かつその折り返した蓋材を前記残した先方部分に固定する固定部を設けて、折り返した蓋材を先方部分に固定することにより収納する際に邪魔にならずまた、必要に応じて蓋材で閉じることもできる。
【発明を実施するための最良の形態】
【００２７】
以下、本発明の実施の形態を添付図面を参照して説明する。
【００２８】
図１〜図２は本発明の実施形態に係るブリスター容器の説明図であって、図１は第１の実施形態に係るブリスター容器の説明図、図２は第２の実施形態に係るブリスター容器の説明図である。図中、同一の符号を付した部分は同一物を表わす。
【００２９】
図１に示すように、第１の実施形態に係るブリスター容器は、柄１０の先端部にブラシ（使用部に相当）１２ａを設けた歯ブラシ（軸状製品に相当）１２を膨出部１４に収容する透明樹脂からなるブリスター部１６と、前記膨出部１４をその開口側から覆うようにして前記ブリスター部１６の平坦部１８に接着可能な蓋材２０とからなり歯ブラシ１２を収容するブリスター容器である。
【００３０】
歯ブラシ１２は柄１０の先端部にブラシ１２ａが軸垂直方向に向いて植毛された一般的なものであり、その柄１０とブラシ１２ａの凹凸に合わせたもので前記図３と同様の膨出部１４の形状等を種々に呈している。
【００３１】
前記歯ブラシ１２の先端部を膨出部１４の先端部１４ａ内に収容した状態で、該膨出部１４の先端部１４ａ周辺の平坦部１８に接着した蓋材２０の先方部分２０ａとその他の部分（中央部分２０ｂ，後方部分２０ｃ）との境界にミシン目２２（先方のミシン目２２ａ，後方のミシン目２２ｂ）を形成している。
【００３２】
前記蓋材２０の少なくとも先方部分２０ａを残してミシン目２２ａまでブリスター部１６から剥がして、前記蓋材２０の先方部分と膨出部１４の先端部との間に歯ブラシ１２の先端部を差し込んで覆いかつ膨出部１４の後端部で前記歯ブラシ１２の後端部を係止して抜け止めたものである。
【００３３】
なお、ブリスター容器では蓋材２０を先方に延して幅方向途中まで切り欠いて「Ｌ字」形状に形成して、店頭で陳列するための係止部２０ｄとしている。
【００３４】
第１の実施形態のブリスター容器において、図１（ａ）に示す実施例１のように、前記蓋材２０の先方部分２０ａを残してミシン目２２ａまでブリスター部１６から剥がすようにできる。
【００３５】
また、図１（ｂ）、（ｃ）は第１の実施形態のブリスター容器の実施例２の開封状態及び封止状態を示す説明図である。
【００３６】
図１（ｂ）、（ｃ）に示す、実施例２のように、前記蓋材２０の先方部分２０ａおよび中央部分２０ｂ間にミシン目２２ａを、中央部分２０ｂおよび後方部分２０ｃ間にミシン目２２ｂをそれぞれ形成する。前記蓋材２０をブリスター部１６に接着した状態で当該中央部分２０ｃを図１の（ｂ）に示す開封状態のように、該ミシン目２２ａおよび２２ｂによって蓋材の中央部分が切り取れるようにし、前記蓋材２０の先方部分２０ａおよび後方部分２０ｃが残るようにしたものである。
【００３７】
また、前記蓋材２０の後方部分２０ｃには、ミシン目２２ｂから該蓋材２０の後方部分２０ｃにブリスター容器の長手方向に沿うミシン目或いはスリット２４を切り込んだものである。
【００３８】
なお、ブリスター部１６の透明樹脂には、ポリエチレンテレフタレート（ＰＥＴ、ポリエステル）、ポリプロピレン、ポリプロピレン、セルロースエステル、ビニールを用いることができる。
【００３９】
また、蓋材２０には、ポリプロピレン／ポリエチレンテレフタレート（ＰＰ／ＰＥＴ）、ポリエチレン、台紙（厚紙／合成樹脂コーティング層）、アルミ箔／ポリエチレンテレフタレート、セロファン／ポリエチレン／セロファン等を材料とすることができる。
【００４０】
また、ブリスター部１６と蓋材２０の接着剤は、アクリル系接着剤をセルロースエステル製の蓋材２０およびブリスター部１６に使用し、ポリ塩化ビニールデン系の接着剤をビニール製の蓋材２０またはブリスター部１６に使用し、エチレンビニルアルコール（ＥＶＡ）系の接着剤をポリエチレン製やポリプロピレン製の蓋材２０またはブリスター部１６に使用することができる。
【００４１】
第１の実施形態に係る実施例１のブリスター容器では、図１（ａ）に示すように、前記蓋材２０の先方部分２０ａを残してミシン目２２ａまでブリスター部１６から剥がして、前記先方部分２０ａと膨出部１４の先端部との間に歯ブラシ１２の先端部を差し込んで覆いかつ膨出部１４の後端部で前記歯ブラシ１２の後端部を係止して抜け止めたので、ブリスター容器内に歯ブラシ１２を抜け止めて，かつ蓋材２０で歯ブラシの使用部であるブラシ１２ａのある先端部を覆うので、ほこり等で汚れることがなくなり衛生的、かつ利便性が高い。
【００４２】
また、図１（ｂ）、（ｃ）に示す、実施例２のブリスター容器によれば、前記蓋材２０の先方部分２０ａおよび中央部分２０ｂ間と中央部分２０ｂおよび後方部分２０ｃ間にミシン目２２ａと２２ｂを形成し、前記蓋材２０をブリスター部１６に接着した状態で当該中央部分２０ｂを該ミシン目２２ａと２２ｂから切り取れるようにすれば、蓋材２０の中央部分２０ｂを取り去った後に、蓋材２０の先方部分２０ａとともに後方部分２０ｃで歯ブラシ１２後端部を覆えるため後端部の係止が確実でかつより衛生的に保管できる。
【００４３】
また、前記蓋材２０の後方部分２０ｂには、ミシン目２２ｂから該蓋材２０の長手方向に沿うミシン目或いはスリット２４を切り込むので、歯ブラシ（軸状製品）１２をそのミシン目或いはスリット２４を開いて容易に収納したり取り出したりすることができ、極めて便利である。もちろん、蓋材２０の先方部分２０ａのみを残すようにする場合にそこにミシン目或いはスリットを形成するようにしてもよい。
【００４４】
図２は、第２実施形態に係るブリスター容器の説明図である。（ａ）は開封後の収納時、（ｂ）は蓋材２０の開封前を示す。図１と同様部分に、同一の符号を付している。
【００４５】
第２の実施形態に係るブリスター容器は、図２（ｂ）に示すように、前記歯ブラシ１２の先端部を膨出部１４の先端部１４ａ内に収容した状態で、該膨出部１４の先端部１４ａ周辺の平坦部１８に接着した蓋材２０の先方部分２０Ａと後方部分２０Ｂとの境界に折り線２６を形成している。後方部分２０Ｂの端部に未接着部２０Ｂ１が少し残してあり、ここから剥がし始めることができる。
【００４６】
開封時には、図２（ａ）に示すように、蓋材２０の後方部分２０Ｂを、先方部分２０Ａを残して折り線２６までブリスター部１６から剥がし、剥がした該後方部分２０Ｂを折り線２６から先方に向けて折り返して膨出部１４を開ける。その折り返した蓋材２０を前記残した先方部分２０ａに固定する固定部２８を設けたものである。
【００４７】
固定部２８は、先方部分２０Ａの途中に矩形に切り込んだ弁状の突出部を設けたものである。前記折り線２６から折り曲げた後方部分２０Ｂは端部を固定部２８に挟んでずり落ちないように固定できる。固定部２８は切り込みにより形成するので、製作が容易である。もちろん他の形態の固定部によって形成することができる。
【００４８】
第２の実施形態のように、蓋材２０をその先方部分２０Ａを残して折り線２６までブリスター部１６から剥がし、剥がした蓋材２０を折り線２６から先方に向けて折り返して膨出部１４を開け、かつその折り返した蓋材２０を前記残した先方部分２０Ａに固定する固定部２８を設けて、折り返した蓋材２０を先方部分２０Ａに固定することにより収納する際に邪魔にならずまた、必要に応じて蓋材２０で膨出部開口を閉じることができる。
【００４９】
尚、本発明のブリスター容器は、上記した実施の形態に限定されるものではなく、本発明の要旨を逸脱しない範囲内において種々変更を加え得ることは勿論である。軸状製品は、歯ブラシに限定されず、その他、歯間ブラシ製品、ひげそり製品、塗付部のある化粧品類等種々に適用できる。
【００５０】
また第１の実施形態のミシン目や第２の実施形態の折り線は断続的な貫通孔または凹部によって形成できる。
【図面の簡単な説明】
【００５１】
【図１】本発明の第１の実施形態に係るブリスター容器の説明図であって、（ａ）は実施例１の説明図、（ｂ）は実施例２の開封状態説明図、（ｃ）は実施例２の封止状態の説明図である。
【図２】第２の実施形態に係るブリスター容器の説明図であって、（ａ）は蓋材を折り曲げて固定した状態説明図、（ｂ）は封止状態の説明図である。
【図３】従来の歯ブラシを包装したブリスター製品の説明図であって、（ａ）は蓋材側から見た裏面図、（ｂ）は側面図、（ｃ）ブリスター部側から見た平面図である。
【符号の説明】
【００５２】
１０  柄
１２  歯ブラシ
１２ａ  ブラシ
１４  ブリスター部の膨出部
１４ａ  先端部
１６  ブリスター部
１８  ブリスター部の平坦部
２０  蓋材
２０ａ  蓋材の先方部分
２０ｂ  蓋材の中央部分
２０ｃ  蓋材の後方部分
２２  ミシン目
２２ａ  先方のミシン目
２２ｂ  後方のミシン目
２４  スリット
２６  折り線
２８  固定部
【図１】
2010018284.tif 000003
【図２】
2010018284.tif 000004
【図３】
2010018284.tif 000005